【事件の表示】
　平成１０年特許願第３３０２２２号「情報配信装置及び情報配信方法」拒絶査定不服審判事件〔平成１２年５月３０日出願公開、特開２０００−１５１８１６〕について、次のとおり審決する。
【結　論】
　本件審判の請求は、成り立たない。
【理　由】
第１．手続の経緯
　本願は、平成１０年１１月５日の出願であって、平成１４年５月１日付けで拒絶査定がなされ、これに対し、同年６月５日に拒絶査定に対する審判請求がなされるとともに同年７月５日付けで手続補正がなされたものである。
　
第２．補正却下の決定
［結論］
　　平成１４年７月５日付けの手続補正を却下する。
　
［理由］
１．補正後の本願発明
　上記手続補正は、補正前の特許請求の範囲の請求項１に記載された発明を、
　「下記の要件を備えたことを特徴とする情報配信装置。
（イ）情報配信管理装置と、コンピュータテレフォニー装置と、複数種類の情報端末装置とで構成されること。
（ロ）前記複数種類の情報端末装置は、公衆回線を介してコンピュータテレフォニー装置と接続され、さらにコンピュータテレフォニー装置を介して情報配信管理装置に接続されること。
（ハ）前記情報配信管理装置は、情報端末装置から回答を得るための各種質問要素があらかじめ記憶された質問情報記憶手段を有すること。
（ニ）前記情報配信管理装置は、前記質問要素記憶手段に記憶された各種質問要素の選択あるいは組み合わせによって一連の質問情報を作成する作成手段を有すること。
（ホ）前記情報配信管理装置は、前記作成した一連の質問情報を公衆回線を介して情報端末装置に配信する配信処理手段を有すること。
（ヘ）前記情報配信管理装置は、複数種類のメッセージが記憶されたメッセージ情報記憶手段を有すること。
（ト）前記情報配信管理装置は、前記一連の質問情報によって得られた情報端末装置からの回答を受信し、その内容を解析し、配信する情報の種類によって返信する情報端末装置の種類を選択する解析手段を有すること。
（チ）前記情報配信管理装置は、前記解析手段の解析結果に基づいてメッセージを前記メッセージ情報記憶手段から読み取る読取手段を有すること。
（リ）前記情報配信管理装置は、前記読み取ったメッセージをコンピュータテレフォニー装置を介して前記選択された情報端末装置に配信する配信処理手段を有すること。
（ヌ）前記コンピュータテレフォニー装置は、前記配信されたメッセージを前記選択された情報端末装置に向けて送信する送信手段を有すること。
（ル）前記情報端末装置は、前記一連の質問情報及びメッセージを受信する受信手段と、前記一連の質問情報に対して回答を入力する入力手段と、この入力した回答を送信する送信手段とを有すること。」
という発明（以下、「補正後の発明」という。）に変更することを含むものである。
　
２．補正の適否
（１）新規事項の有無、補正の目的要件
　上記補正は、願書に最初に添付した明細書又は図面に記載した事項の範囲内において、補正前の特許請求の範囲の請求項１に記載された「複数の情報端末装置」、「質問情報」、「情報端末装置を選択する」構成をそれぞれ「複数種類の情報端末装置」、「一連の質問情報」、「情報端末の種類を選択する」構成に減縮するものであるから、特許法第１７条の２第３項（新規事項）及び第４項第２号（補正の目的）の規定に適合している。
　
（２）独立特許要件
　次に、上記補正は特許請求の範囲の減縮を目的とするものであるから、上記補正後の発明が特許出願の際独立して特許を受けることができるものであるのかどうかについて検討する。
　［補正後の発明］
　上記「１．補正後の本願発明」の項で認定したとおりである。
　
　［引用発明］
　原審の拒絶理由に引用された特開平６−３１９０２４号公報（以下、「引用例」という。）には、図面とともに以下の事項が記載されている。
　イ．「ファクシミリ通信及び音声通信を可能とする端末（１）と公衆網を介して接続され、前記端末（１）から要求される事物のデータをファクシミリ通信により前記端末（１）へ提供するシステムにおいて、
　任意の事物に関するデータを項目別に登録するテーブルを複数格納するテーブル格納手段（２）と、
　個々の項目毎に複数の条件を提示すると共に、これら複数の条件から各項目のデータが満たすべき条件の選出を促すメッセージを発生するメッセージ発生手段（３）と、
　前記端末（１）の選出する項目毎の条件に基づいて前記テーブル格納手段（２）へアクセスし、前記項目別の条件を総て満たす事物を判別し、この事物に関するデータを抽出するデータ抽出手段（５）と、
　前記データ抽出手段（５）の抽出するデータ群を編集してファイルを作成するファイル作成手段（６）と、
　前記端末へ音声通信あるいはファクシミリ通信により情報の送受信を行う送受信手段（７）と、
　前記各部の制御を行う制御手段（８）とを備え、
　前記制御手段（８）は、前記端末（１）からの利用要求を受けた場合に、前記メッセージ発生手段（３）を起動し、
　メッセージ発生手段（３）は、前記テーブル格納手段（２）に設定されている項目毎に複数の条件を想定し、これらの条件から各項目のデータが満たすべき条件の選出を促すメッセージを発生し
　前記送受信手段（７）は、前記メッセージを前記端末（１）へ送信すると共に、前記端末（１）の選出する条件情報を受信した際に、この条件を前記データ抽出手段（５）へ転送し、
　前記データ抽出手段（５）は、前記端末（１）の選出した項目毎の条件に基づいて前記テーブル格納手段（２）へアクセスし、個々の項目毎に前記条件を満たすか否かを判別し、全ての項目が前記条件を満たす事物を選定してこの事物にかかるデータを抽出し、
　前記ファイル作成手段（６）は、前記データ抽出手段（５）の抽出したデータ群を編集してファイルを作成し、
　前記送受信手段（７）は、前記ファイルを前記端末（１）へファクシミリ通信により送信することを特徴とするファクシミリサーバシステム。」（特許請求の範囲、請求項１）
　
　ロ．「送受信手段７は、当該ファイルをファクシミリ通信により端末１へ送信する。これにより、特定の条件を満たす事物のデータを即座に入手可能となる。
　尚、ここでいうファクシミリ通信は画像通信機能を含み、端末１がディスプレイ機能を備える場合にはメッセージ及びファイルを画像通信により端末１へ送信する。これにより端末１のディスプレイ画面上にメッセージ及びファイル内容を画面表示できる。」（４頁６欄、段落２８）
　
　ハ．「また、上記のメッセージ発生手段３は、メッセージを音声信号、画像信号、ファクシミリ信号により発生するようにしてもよい。これに対応して送受信手段７には、音声認識機能、音声応答機能、図形認識機能、文字認識機能を付加する。ここで、音声認識機能は、応答信号（例えば、ダイヤル信号、プッシュフォン信号）を当該システムが処理可能なコード信号へ変換する機能、あるいは、肉声を受信した場合にこの肉声の表す言葉を判別すると共にこの言葉を当該システムの処理可能なコード信号へ変換する機能である。
　音声応答機能は、デジタル信号形式のメッセージ信号を音声信号形式のメッセージ信号へ変換する機能である。図形認識機能は、受信した図形情報を、当該システムの処理可能なコード信号へ変換する機能である。同様に、文字認識機能は、受信した文字情報を当該システムの処理可能なコード信号へ変換する機能である。」（４頁６欄、段落３２）
　
　ニ．「本実施例１におけるファクシミリサーバシステムの概略構成を図２に示す。
【００３４】同図においてファクシミリサーバシステムは、ファクシミリ通信機能及び音声通信機能を備えるｎ台の端末１１と、前記端末１１と公衆網を介して接続されるデータ提供装置１２とを備える。」（５頁７欄９〜１４行目）
　
　ホ．「メッセージ発生装置１４３は、音声メモリ１４１に格納されているデジタル信号形式のメッセージ情報を、音声信号形式のメッセージ情報へ変換し、通信制御部１４０を介して端末１１へ送信する。ここでは、上記のメッセージとして、当該データ提供装置１２の提供する事物（この場合は船舶）の紹介及び当該データ提供装置１２の利用方法を案内するメッセージ、顧客ＩＤの入力を促すメッセージ、データテーブル（Ａ）１３ａ（あるいはデータテーブル（Ｂ）１３ｂ）に設定されている項目毎に複数の条件を提示すると同時にこれらの条件から各項目のデータが満たすべき条件の選出を促すメッセージ等である。」（５頁８欄、段落４３）
　
　ヘ．「【００６１】メッセージ発生装置１４３は、コード信号が輸出船のデータ要求を示すコード信号の場合には、輸出船のデータ格納項目に従ったメッセージを音声メモリ１４１から読み出す。一方、前記コード信号が輸入船のデータ要求を示すコード信号の場合には、輸入船のデータ格納項目に従ったメッセージを音声メモリ１４１から読み出す。このメッセージの具体例を以下に示す。
【００６２】(1)、「あなたの希望する船舶の行先を次の３つのなかから選択し、その識別番号をダイヤルして下さい。１；香港、２；シンガポール、３；ボンベイ、４；特に限定しない。尚、あなたの作成するファイルに行先の項目を必要としない場合には”＃”をダイヤルして下さい。」
(2)、「あなたの希望する船舶の到着期日を以下の指示に従ってダイヤルして下さい。先ず到着期日の月をダイヤルし、続けて”＃”をダイヤルして下さい。そして、その後に日にちをダイヤルして下さい。尚、到着期日を特定しない場合には、”＃”をダイヤルして下さい。」
(3)、「あなたの希望する船舶の会社名を以下の二つのなかから選択し、その識別番号をダイヤルして下さい。１；ＳＳ社、２；ＴＴ社、３；特に限定しない。尚、あなたの作成するファイルに会社名の項目を必要としない場合には”＃”をダイヤルして下さい。」
メッセージ発生装置１４３は、上記(1)〜(3)のメッセージを通信制御部１４０を介して順次送信する（ステップ６０７）。
【００６３】そして、通信制御部１４０は、各メッセージに対する応答信号を受信した際に、この応答信号を信号解析部１４４へ通知する。信号解析部１４４は、各応答信号を解析してコード信号へ変換し、バッファ１４５へ転送する。バッファ１４５では、各コード信号を項目別に格納する（ステップ６０８）。具体的には、第１にメッセージ発生装置１４３はメッセージ(1)を送信し、通信制御部１４０はメッセージ(1)に対する応答信号に待機する。そして、メッセージ(1)に対する応答信号を受信した際に、この応答信号を信号解析部１４４へ通知する。信号解析部１４４は、当該応答信号を解析してコード信号へ変換し、バッファ１４５へ転送する。バッファ１４５は、当該コード信号を行先（あるいは輸入元）の項目に格納する。」（６頁１０欄、段落６１〜７頁１１欄、段落６３、但し、表記の都合上原文の丸囲み数字は丸かっこ数字に置換した。）
　
　ト．「また、単一のデータ提供装置に、事物の異なるデータベースを複数備えるようにしてもよい。例えば、船舶に関するデータを格納するデータベースと、航空機に関するデータを格納するデータベースと、鉄道に関するデータを格納するデータベースとを備え、利用者に事物の属性を選択させるようにしてもよい。」（１３頁２３欄、段落１３９）
　
　上記引用例の記載及び添付図面ならびにこの分野における技術常識を考慮すると、上記「フアクシミリサーバシステム」は「ファクシミリサーバ」（即ち、「データ提供装置１２」）を用いて、端末（１）から要求される事物のデータを前記端末（１）に提供するものであるから、いわゆる「情報配信装置」であり、「送受信手段（７）」を除く「データ提供装置１２」はいわゆる「情報配信管理装置」を構成している。そして、当該「送受信手段（７）」は公衆網（即ち、「公衆回線」）を介してファクシミリ通信機能、音声通信機能、画像通信機能を備えた「端末（１）」（即ち、「複数種類の通信機能を備えた情報端末装置」）と、前記「情報配信管理装置」（即ち、「送受信手段（７）」を除いた「データ提供装置１２」）とを接続するための、いわゆる「コンピュータテレフォニー装置」を構成している。
　したがって、上記「情報配信装置」は、
（イ）情報配信管理装置と、コンピュータテレフォニー装置と、複数種類の通信機能を備えた複数の情報端末装置とで構成され、
（ロ）前記複数種類の通信機能を備えた複数の情報端末装置は、公衆回線を介してコンピュータテレフォニー装置と接続され、さらにコンピュータテレフォニー装置を介して情報配信管理装置に接続され、
ている。
　また、上記「メッセージ発生手段（３）」を構成する「音声メモリ１４１」は上記「情報配信管理装置」が有する「データテーブル（Ａ）１３ａ（あるいはデータテーブル（Ｂ）１３ｂ）に設定されている項目毎に複数の条件を提示すると同時にこれらの条件から各項目のデータが満たすべき条件の選出を促すメッセージ」（即ち、「情報端末装置から回答を得るための各種質問要素があらかじめ記憶された質問情報」）が格納されるメモリ（即ち、「記憶手段」）であるから、
（ハ）前記情報配信管理装置は、情報端末装置から回答を得るための各種質問要素があらかじめ記憶された質問情報記憶手段を有し、
ており、上記「条件の選出を促すメッセージ」は上記ヘ．及びト．の記載によればメッセージ発生手段（３）を構成するメッセージ発生装置１４３により「前記質問要素記憶手段に記憶された各種質問要素の選択あるいは組み合わせによって」作成される「一連の質問情報」であるから、
（ニ）前記情報配信管理装置は、前記質問要素記憶手段に記憶された各種質問要素の選択あるいは組み合わせによって一連の質問情報を作成する作成手段を有し、
ており、当該メッセージは「送受信手段（７）」を介して順次送信（即ち、配信）されるものであるから、
（ホ）前記情報配信管理装置は、前記作成した一連の質問情報を公衆回線を介して情報端末装置に配信する配信処理手段を有し、
ている。
　また、上記「事物のデータ」、「テーブル格納手段（２）」はそれぞれ配信すべき「複数種類のメッセージ」、当該メッセージの「情報記憶手段」であるから、
（ヘ）前記情報配信管理装置は、複数種類のメッセージが記憶されたメッセージ情報記憶手段を有し、
ており、「通信制御部１４０」は「各メッセージに対する応答信号を受信した際に、この応答信号を信号解析部１４４へ通知」し、「信号解析部１４４は、各応答信号を解析」するものであり、また上記引用例記載の「ファクシミリ通信は画像通信機能を含み、端末１がディスプレイ機能を備える場合にはメッセージ及びファイルを画像通信により端末１へ送信する」ものであるから、上記「送受信手段（７）」は情報端末装置が備える「音声通信、画像通信、ファクシミリ通信」の各機能のうちの一つを適宜選択して送受信するものである。したがって、
（ト）前記情報配信管理装置は、前記一連の質問情報によって得られた情報端末装置からの回答を受信し、その内容を解析する解析手段と、返信する情報端末装置の通信機能の種類を選択する手段を有し、
ており、上記抽出され、配信される「事物のデータ」は「ファイル」として作成され、「ファイルを送信」するときは、通常、ファイルが記憶されている「情報記憶手段から読み取る読取手段」を介して行うものであるから、
（チ）前記情報配信管理装置は、前記解析手段の解析結果に基づいてメッセージを前記メッセージ情報記憶手段から読み取る読取手段を有し、
（リ）前記情報配信管理装置は、前記読み取ったメッセージをコンピュータテレフォニー装置を介して前記選択された通信機能を用いて情報端末装置に配信する配信処理手段を有し、
（ヌ）前記コンピュータテレフォニー装置は、前記配信されたメッセージを前記選択された通信機能を用いて情報端末装置に向けて送信する送信手段を有し、
ている。
　また、「情報端末装置」が情報配信管理装置の動作に対応する以下の構成を有することは上記ヘ．の記載から自明のことである。
（ル）前記情報端末装置は、前記一連の質問情報及びメッセージを受信する受信手段と、前記一連の質問情報に対して回答を入力する入力手段と、この入力した回答を送信する送信手段とを有すること。
　
　したがって、上記引用例には以下の発明（以下、「引用発明」という。）が記載されている。
　「下記の要件を備えたことを特徴とする情報配信装置。
（イ）情報配信管理装置と、コンピュータテレフォニー装置と、複数種類の通信機能を備えた複数の情報端末装置とで構成されること。
（ロ）前記複数種類の通信機能を備えた複数の情報端末装置は、公衆回線を介してコンピュータテレフォニー装置と接続され、さらにコンピュータテレフォニー装置を介して情報配信管理装置に接続されること。
（ハ）前記情報配信管理装置は、情報端末装置から回答を得るための各種質問要素があらかじめ記憶された質問情報記憶手段を有すること。
（ニ）前記情報配信管理装置は、前記質問要素記憶手段に記憶された各種質問要素の選択あるいは組み合わせによって一連の質問情報を作成する作成手段を有すること。
（ホ）前記情報配信管理装置は、前記作成した一連の質問情報を公衆回線を介して情報端末装置に配信する配信処理手段を有すること。
（ヘ）前記情報配信管理装置は、複数種類のメッセージが記憶されたメッセージ情報記憶手段を有すること。
（ト）前記情報配信管理装置は、前記一連の質問情報によって得られた情報端末装置からの回答を受信し、その内容を解析する解析手段と、返信する情報端末装置の通信機能の種類を選択する手段を有すること。
（チ）前記情報配信管理装置は、前記解析手段の解析結果に基づいてメッセージを前記メッセージ情報記憶手段から読み取る読取手段を有すること。
（リ）前記情報配信管理装置は、前記読み取ったメッセージをコンピュータテレフォニー装置を介して前記選択された通信機能を備えた情報端末装置に配信する配信処理手段を有すること。
（ヌ）前記コンピュータテレフォニー装置は、前記配信されたメッセージを前記選択された通信機能を備えた情報端末装置に向けて送信する送信手段を有すること。
（ル）前記情報端末装置は、前記一連の質問情報及びメッセージを受信する受信手段と、前記一連の質問情報に対して回答を入力する入力手段と、この入力した回答を送信する送信手段とを有すること。」
　
　［対比］
　補正後の発明と引用発明とを対比すると、補正後の発明の「複数種類の情報端末装置」と引用発明の「複数種類の通信機能を備えた複数の情報端末装置」はいずれも「複数の情報端末装置」であるという点で一致しており、補正後の発明の「前記情報配信管理装置は、前記一連の質問情報によって得られた情報端末装置からの回答を受信し、その内容を解析し、配信する情報の種類によって返信する情報端末装置の種類を選択する解析手段」は「前記情報配信管理装置は、前記一連の質問情報によって得られた情報端末装置からの回答を受信し、その内容を解析する解析手段と、配信する情報の種類によって返信する情報端末装置の種類を選択する解析手段」を有していることであるところ、当該構成後段の「配信する情報の種類によって返信する情報端末装置の種類を選択する解析手段」と引用発明の「返信する情報端末装置の通信機能の種類を選択する手段」は補正後の発明の「種類」が「通信機能の種類」を指していることを考慮すると、両者はいずれも「返信する通信機能を選択する手段」であるという点で一致している。
　また、補正後の発明の「選択された情報端末装置に配信する配信処理手段」及び「選択された情報端末装置に向けて送信する送信手段」と引用発明の「選択された通信機能を備えた情報端末装置に配信する配信処理手段」及び「選択された通信機能を備えた情報端末装置に向けて送信する送信手段」はそれぞれ「選択された通信機能を備えた情報端末装置に配信する配信処理手段」及び「選択された通信機能を備えた情報端末装置に向けて送信する送信手段」であるという点で一致している。
　したがって、補正後の発明と引用発明は、以下の＜一致点＞で一致し、また＜相違点＞で相違する。
　＜一致点＞
　「下記の要件を備えたことを特徴とする情報配信装置。
（イ）情報配信管理装置と、コンピュータテレフォニー装置と、複数の情報端末装置とで構成されること。
（ロ）前記複数の情報端末装置は、公衆回線を介してコンピュータテレフォニー装置と接続され、さらにコンピュータテレフォニー装置を介して情報配信管理装置に接続されること。
（ハ）前記情報配信管理装置は、情報端末装置から回答を得るための各種質問要素があらかじめ記憶された質問情報記憶手段を有すること。
（ニ）前記情報配信管理装置は、前記質問要素記憶手段に記憶された各種質問要素の選択あるいは組み合わせによって一連の質問情報を作成する作成手段を有すること。
（ホ）前記情報配信管理装置は、前記作成した一連の質問情報を公衆回線を介して情報端末装置に配信する配信処理手段を有すること。
（ヘ）前記情報配信管理装置は、複数種類のメッセージが記憶されたメッセージ情報記憶手段を有すること。
（ト）前記情報配信管理装置は、前記一連の質問情報によって得られた情報端末装置からの回答を受信し、その内容を解析する解析手段と、返信する通信機能を選択する手段を有すること。
（チ）前記情報配信管理装置は、前記解析手段の解析結果に基づいてメッセージを前記メッセージ情報記憶手段から読み取る読取手段を有すること。
（リ）前記情報配信管理装置は、前記読み取ったメッセージをコンピュータテレフォニー装置を介して前記選択された通信機能を備えた情報端末装置に配信する配信処理手段を有すること。
（ヌ）前記コンピュータテレフォニー装置は、前記配信されたメッセージを前記選択された通信機能を備えた情報端末装置に向けて送信する送信手段を有すること。
（ル）前記情報端末装置は、前記一連の質問情報及びメッセージを受信する受信手段と、前記一連の質問情報に対して回答を入力する入力手段と、この入力した回答を送信する送信手段とを有すること。」
　
　＜相違点１＞「複数の情報端末装置」に関し、補正後の発明は「複数種類の情報端末装置」であるのに対し、引用発明は「複数種類の通信機能を備えた複数の情報端末装置」である点。
　＜相違点２＞「返信する通信機能を選択する手段」に関し、補正後の発明は「配信する情報の種類によって返信する情報端末装置の種類を選択する解析手段」であるのに対し、引用発明は「返信する情報端末装置の通信機能の種類を選択する手段」である点。
　＜相違点３＞「選択された通信機能を備えた情報端末装置に配信する配信処理手段」及び「選択された通信機能を備えた情報端末装置に向けて送信する送信手段」に関し、補正後の発明は「選択された情報端末装置に配信する配信処理手段」及び「選択された情報端末装置に向けて送信する送信手段」であるのに対し、引用発明は「選択された通信機能を備えた情報端末装置に配信する配信処理手段」及び「選択された通信機能を備えた情報端末装置に向けて送信する送信手段」である点。
　
　［判断］
　そこで、上記相違点１、３について検討するに、ユーザの情報端末が複数種類の通信機能を有し、当該複数種類の機能の中から所望の通信機能（例えば、画像通信）を選択して送受信することと、複数種類の情報端末装置をユーザが有し、当該複数の情報端末装置から所望の種類の情報端末装置を選択することは、技術的に同等のことであるから、引用発明の「複数種類の通信機能を備えた情報端末装置」を補正後の発明のように「複数種類の情報端末装置」に換えるとともに、引用発明の「選択された通信機能を備えた情報端末装置に配信する配信処理手段」及び「選択された通信機能を備えた情報端末装置に向けて送信する送信手段」を補正後の発明のように「選択された情報端末装置に配信する配信処理手段」及び「選択された情報端末装置に向けて送信する送信手段」とする程度のことは、当業者であれば単なる設計的事項である。
　ついで、上記相違点２について検討するに、引用発明は例えば「端末１がディスプレイ機能を備える場合」（即ち、端末１が画像通信機能を備えているか否か）を何らかの手段で検出するものであるところ、端末が備えている機能を送受信データの解析で検出することは一般的に行われていることであるから、引用発明の「返信する情報端末装置の通信機能の種類を選択する手段」を「前記一連の質問情報によって得られた情報端末装置からの回答を受信し、その内容を解析する解析手段」の中で行うように構成することは当業者であれば容易に想到し得ることである。そして、複数種類の情報端末装置と複数種類の通信機能を備えた情報端末装置の関係については上記相違点１、３に関連して説示したとおりであるから、引用発明の「返信する情報端末装置の通信機能の種類を選択する手段」を補正後の発明のように「配信する情報の種類によって返信する情報端末装置の種類を選択する解析手段」とする程度のことは当業者であれば容易なことである。
　
　以上のとおりであるから、補正後の発明は上記引用例に記載された発明に基づいて容易に発明できたものであり、特許法第２９条第２項の規定により、特許出願の際独立して特許を受けることができないものである。
　
３．結語
　以上のとおり、本件補正は、補正後の発明が独立特許要件を満たしていないので、特許法第１７条の２第５項の規定により準用する特許法第１２６条第４項の規定に違反するから、特許法第１５９条第１項において準用する同法第５３条第１項の規定により却下すべきものである。
　
第３．本願発明について
１．本願発明
　平成１４年７月５日付けの手続補正は上記のとおり却下されたので、本願の請求項１に係る発明（以下、「本願発明」という。）は、平成１４年３月８日付け手続補正書により補正された明細書及び図面の記載からみて、その特許請求の範囲の請求項１に記載された以下のとおりのものと認める。
　「下記の要件を備えたことを特徴とする情報配信装置。
（イ）情報配信管理装置と、コンピュータテレフォニー装置と、複数の情報端末装置とで構成されること。
（ロ）前記複数の情報端末装置は、公衆回線を介してコンピュータテレフォニー装置と接続され、さらにコンピュータテレフォニー装置を介して情報配信管理装置に接続されること。
（ハ）前記情報配信管理装置は、情報端末装置から回答を得るための各種質問要素があらかじめ記憶された質問情報記憶手段を有すること。
（ニ）前記情報配信管理装置は、前記質問要素記憶手段に記憶された各種質問要素の選択あるいは組み合わせによって一連の質問情報を作成する作成手段を有すること。
（ホ）前記情報配信管理装置は、前記作成した質問情報を公衆回線を介して情報端末装置に配信する配信処理手段を有すること。
（ヘ）前記情報配信管理装置は、複数種類のメッセージが記憶されたメッセージ情報記憶手段を有すること。
（ト）前記情報配信管理装置は、前記一連の質問情報によって得られた情報端末装置からの回答を受信し、その内容を解析し、配信する情報の種類によって返信する情報端末装置を選択する解析手段を有すること。
（チ）前記情報配信管理装置は、前記解析手段の解析結果に基づいてメッセージを前記メッセージ情報記憶手段から読み取る読取手段を有すること。
（リ）前記情報配信管理装置は、前記読み取ったメッセージをコンピュータテレフォニー装置を介して前記選択された情報端末装置に配信する配信処理手段を有すること。
（ヌ）前記コンピュータテレフォニー装置は、前記配信されたメッセージを前記選択された情報端末装置に向けて送信する送信手段を有すること。
（ル）前記情報端末装置は、質問情報及びメッセージを受信する受信手段と、前記質問情報に対して回答を入力する入力手段と、この入力した回答を送信する送信手段とを有すること。」
　
２．引用発明
　引用発明は、上記「第２．２．（２）独立特許要件」中の［引用発明］の項で認定したとおりである。
　
３．対比・判断
　そこで、本願発明と引用発明とを対比するに、本願発明は上記補正後の発明にかかる「複数種類の情報端末装置」、「一連の質問情報」、「情報端末の種類を選択する」という構成から「種類」又は「一連」という限定を省き、それぞれ「複数の情報端末装置」、「質問情報」、「情報端末を選択する」としたものである。
　そうすると、本願発明の構成に前記構成を付加した補正後の発明が上記「第２．２（２）独立特許要件」の項で検討したとおり、上記引用例に記載された発明に基づいて容易に発明できたものであるから、本願発明も同様の理由により、容易に発明できたものである。
　
４．むすび
　以上のとおり、本願発明は、上記引用例に記載された発明に基づいて、当業者が容易に発明をすることができたものと認められるから、特許法第２９条第２項の規定により特許を受けることができない。
　
　よって、結論のとおり審決する。